(57)【要約】【課題】  見栄えが良く、脱ぎ履きし易く、履き心地が良い靴を提供すること。【解決手段】  舌状の砂除け部１４を有する前甲被部１９と、砂除け部１４を左右から覆い重なるように設けられ、靴紐１２で互いに結び付けられる一対の内羽根部１６ａ及び外羽根部１７ａを有する側甲被部１５と、靴紐１２とを備え、砂除け部１４及び側甲被部１５によって履き口部１３が形成されている靴１１において、靴紐１２は、ゴム様弾性体製であり、内外の各羽根部１６ａ、１７ａの内表面Ｕと砂除け部１４の外表面Ｓとがそれぞれゴム様弾性体製の伸縮部１８を介して互いに連結され、伸縮部１８のうち少なくとも砂除け部１４の外表面Ｓと連結する第１連結部１８ａを含む部分が、靴１１を履いた状態及び脱いだ状態のいずれの状態においても、内外の各羽根部１６ａ、１７ａの内表面Ｕと砂除け部１４の外表面Ｓとの間に配置される構成。【選択図】      図１
0003183553.tif 000002
【実用新案登録請求の範囲】
【請求項１】
舌状の砂除け部を有する前甲被部と、
前記砂除け部を左右から覆い重なるように設けられ、靴紐で互いに結び付けられる一対の内羽根部及び外羽根部を有する側甲被部と、
前記靴紐とを備え、
前記砂除け部及び前記側甲被部によって履き口部が形成されている靴において、
前記靴紐は、ゴム様弾性体製であり、
前記内外の各羽根部又はその近傍の内表面と前記砂除け部の外表面とがそれぞれゴム様弾性体製の伸縮部を介して互いに連結され、前記伸縮部のうち少なくとも前記砂除け部の外表面と連結する第１連結部を含む部分が、靴を履いた状態及び脱いだ状態のいずれの状態においても、前記内外の各羽根部の内表面と前記砂除け部の外表面との間に配置される構成であることを特徴とする靴。
【請求項２】
前記伸縮部及び前記靴紐は、前記砂除け部及び前記側甲被部を足に密着させる方向に弾性力が働くように設けられ、靴の脱ぎ履きのときに伸長することを特徴とする請求項１に記載の靴。
【請求項３】
前記一対の各伸縮部は、平板状に形成され、靴を履いた状態及び脱いだ状態のいずれの状態においても、前記第１連結部は、前記内外の各羽根部の内表面と前記砂除け部の外表面との間に重なり合った状態となることを特徴とする請求項１又は２に記載の靴。
【請求項４】
前記側甲被部は、内側甲被部及び外側甲被部を有し、
前記内羽根部は、前記内側甲被部と一体物として形成され、かつ、
前記外羽根部は、前記外側甲被部と一体物として形成され、更に、
前記各伸縮部は、前記内外の各羽根部又はその近傍の内表面を形成する内部材に対して第２連結部を介して連結し、当該第２連結部が前記各羽根部のそれぞれの外表面に現れないように設けられていることを特徴とする請求項１乃至３のいずれかに記載の靴。
【請求項５】
前記各伸縮部の前記内外の各羽根部又はその近傍の内表面と連結する前記各第２連結部が、前記内外の各羽根部又はその近傍の内表面と前記砂除け部の外表面とが互いに重なり合う部分から離れた位置にそれぞれ配置されていることを特徴とする請求項１乃至４のいずれかに記載の靴。
【請求項６】
前記靴紐は、外観が革製又は布製に見えるように彩色し又は形成されていることを特徴とする請求項１乃至５のいずれかに記載の靴。
【請求項７】
ビジネスシューズであることを特徴とする請求項１乃至６のいずれかに記載の靴。
【考案の詳細な説明】
【技術分野】
【０００１】
本考案は、見栄えが良く、脱ぎ履きし易く、履き心地が良いビジネスシューズを含む靴に関する。
【背景技術】
【０００２】
従来の靴の一例として、前甲被部と、左右の各側甲被部とを備え、この前甲被部及び左右の各側甲被部の上縁部が環状の履き口部として形成されている靴がある（例えば、特許文献１参照。）。この靴の履き口部には、前甲被部と左右の各側甲被部との間の２つの各境界部に切り込み部が形成されている。更に、この履き口部には、環状の履き口補強部が設けられ、この履き口補強部の前甲被部側の一部がゴムバンドで形成されている。このゴムバンドによって、環状の履き口補強部が拡縮可能になっている。
【０００３】
この従来の靴によると、靴を脱ぎ履きするときに、ゴムバンドが伸長することができるので、迅速容易に靴の脱ぎ履きをすることができる。そして、靴を履いたときに、ゴムバンドが短縮するので、この履き口補強部が足首に密着することができ、靴の履き心地を良くすることができる。
【先行技術文献】
【特許文献】
【０００４】
【特許文献１】実開平０７−２１３３６号公報
【考案の概要】
【考案が解決しようとする課題】
【０００５】
上記従来の靴では、砂除け部で正面からゴムバンドを覆う構成としてあるので、靴の正面からは、このゴムバンドが見え難いようになっているが、靴を脱いだときに、靴の履き口部側からは、ゴムバンドが見える状態となり、靴の見栄えが劣るという問題がある。
【０００６】
そして、靴を履いた状態で、ゴムバンドの縁部と履き口補強部本体の縁部との結合部が、足首の正面部に直接に圧接するので、足首の正面部に不快な圧迫を感じる恐れがある。
【０００７】
また、ゴムバンドの縁部と履き口補強部本体の縁部との結合部は、足が直接に触れる部分に形成されているので、靴を脱ぎ履きするときに、足がその結合部に擦れることによって不快な痛みを感じる恐れがある。
【０００８】
本考案は、上記のような課題を解決するためになされたものであり、見栄えが良く、脱ぎ履きし易く、履き心地が良いビジネスシューズを含む靴を提供することを目的としている。
【課題を解決するための手段】
【０００９】
本考案に係る靴は、舌状の砂除け部を有する前甲被部と、前記砂除け部を左右から覆い重なるように設けられ、靴紐で互いに結び付けられる一対の内羽根部及び外羽根部を有する側甲被部と、前記靴紐とを備え、前記砂除け部及び前記側甲被部によって履き口部が形成されている靴において、前記靴紐は、ゴム様弾性体製であり、前記内外の各羽根部又はその近傍の内表面と前記砂除け部の外表面とがそれぞれゴム様弾性体製の伸縮部を介して互いに連結され、前記伸縮部のうち少なくとも前記砂除け部の外表面と連結する第１連結部を含む部分が、靴を履いた状態及び脱いだ状態のいずれの状態においても、前記内外の各羽根部の内表面と前記砂除け部の外表面との間に配置される構成であることを特徴とするものである。
【００１０】
この考案に係る靴によると、足が通る履き口部が、砂除け部及び側甲被部を含む部品によって環状に形成され、靴を脱ぎ履きするときに、それぞれがゴム様弾性体製の靴紐及び伸縮部が伸長することができるので、靴紐を解いたり結ぶ作業を行わずに、更に、例えば靴べらを使用しなくても簡単に靴を脱ぎ履きすることが可能である。
【００１１】
そして、靴を履いた状態では、靴紐及び伸縮部が短縮する方向に弾性力が働くので、この靴紐及び伸縮部の両方の弾力性によって、砂除け部及び側甲被部を足に適切な強さで密着させることができる。これによって、足が靴の内側でずれて動くことを防止でき、履き心地を良好にすることができる。
【００１２】
また、伸縮部のうち少なくとも砂除け部の外表面と連結する第１連結部を含む部分が、内外の各羽根部の内表面と砂除け部の外表面との間に配置されている構成としているので、靴を履いた状態及び脱いだ状態で、靴の外側から伸縮部が見え難いようにすることができる。よって、美観の優れた靴を提供することができる。
【００１３】
更に、伸縮部の上記第１連結部を含む部分は、内外の各羽根部と砂除け部との間に配置され、当該砂除け部を介して足に当接する構成となっているので、靴を脱ぎ履きするときに、足がその第１連結部を含む部分に直接に当たって擦れることがなく、心地よく靴を脱ぎ履きすることができる。また、このように構成されているので、靴を履いた状態で、上記第１連結部を含む伸縮部の足の甲に対する面積当たりの押圧力を小さくすることができ、足の甲が受ける当該押圧力による不快感を抑制することができる。
【００１４】
そして、靴紐がゴム様弾性体製であるので、靴を脱ぎ履きしても、靴紐の弛みを防止でき、靴紐の引き締まった状態を維持することができる。
【００１５】
この考案に係る靴において、前記伸縮部及び前記靴紐は、前記砂除け部及び前記側甲被部を足に密着させる方向に弾性力が働くように設けられ、靴の脱ぎ履きのときに伸長するものとするとよい。
【００１６】
このようにすると、靴を脱ぎ履きするときに、伸縮部及び靴紐が伸長することができるので、靴紐を解いたり結ぶ作業を行わずに、簡単に靴を脱ぎ履きすることができる。
【００１７】
そして、靴を履いた状態では、伸縮部及び靴紐は、砂除け部及び側甲被部を足に密着させる方向に弾性力が働くので、この伸縮部及び靴紐の両方の弾力性によって、砂除け部及び側甲被部を足に適切な強さで密着させることができる。これによって、足が靴の内側でずれて動くことを防止でき、靴の履き心地を良好にすることができる。
【００１８】
この考案に係る靴において、前記一対の各伸縮部は、平板状に形成され、靴を履いた状態及び脱いだ状態のいずれの状態においても、前記第１連結部は、前記内外の各羽根部の内表面と前記砂除け部の外表面との間に重なり合った状態となるものとするとよい。
【００１９】
このようにすると、靴を履いた状態及び脱いだ状態で、平板状に形成された一対の各伸縮部は、内外の各羽根部の内表面と砂除け部の外表面との間に重なり合った状態となり、靴の外側から一対の各伸縮部が効果的に見え難くすることができる。
【００２０】
そして、一対の各伸縮部が平板状に形成され、しかも、各伸縮部が砂除け部に連結する第１連結部を含む部分は、足との間に砂除け部が配置され、第１連結部を含む部分が直接に足に接触しない構成となっているので、靴を脱ぎ履きするときに、足が第１連結部を含む部分に当たって擦れることがなく、更に心地よく靴を脱ぎ履きすることができる。また、このように構成されているので、靴を履いた状態で、当該第１連結部を含む部分の足の甲に対する面積当たりの押圧力を小さくすることができ、足の甲が受ける当該押圧力による不快感を十分に抑制することができる。
【００２１】
この考案に係る靴において、前記側甲被部は、内側甲被部及び外側甲被部を有し、前記内羽根部は、前記内側甲被部と一体物として形成され、かつ、前記外羽根部は、前記外側甲被部と一体物として形成され、更に、前記各伸縮部は、前記内外の各羽根部又はその近傍の内表面を形成する内部材に対して第２連結部を介して連結し、当該第２連結部が前記各羽根部のそれぞれの外表面に現れないように設けられているものとするとよい。
【００２２】
このようにすると、内羽根部を内側甲被部に連結するための縫合部等の連結部、及び外羽根部を外側甲被部に連結するための縫合部等の連結部を不要にすることができる。そして、各伸縮部を内外の各羽根部又はその近傍の内部材に連結する第２連結部（例えば縫合部）が、内羽根部及び外羽根部のそれぞれの外表面（外部材）に現れないようにすることができる。これによって、この靴の外観の見栄えの向上を図ることができる。
【００２３】
この考案に係る靴において、前記各伸縮部の前記内外の各羽根部又はその近傍の内表面と連結する前記各第２連結部が、前記内外の各羽根部又はその近傍の内表面と前記砂除け部の外表面とが互いに重なり合う部分から離れた位置にそれぞれ配置されているものとするとよい。
【００２４】
このようにすると、靴の内表面において、砂除け部の内表面と各羽根部又はその近傍の内表面との段差の大きさを各第２連結部によって減少させることができる。これによって、靴の履き心地を良くすることができる。
【００２５】
この考案に係る靴において、前記靴紐は、外観が革製又は布製に見えるように彩色し又は形成されているものとするとよい。
【００２６】
このようにすると、靴紐が伸縮自在なことによって靴の脱ぎ履きをし易くすることができ、しかも、外観が革製又は布製に見えるので、美観の優れた靴紐を提供することができる。これによって、この靴全体としてフォーマルな場所に適合することができる美観を備える靴を提供することができる。
【００２７】
この考案に係る靴は、ビジネスシューズとするとよい。
【００２８】
このようにすると、上記のような作用を奏するビジネスシューズを提供することができる。
【考案の効果】
【００２９】
この考案に係る靴によると、見栄えが良く、脱ぎ履きし易く、履き心地が良いビジネスシューズを含む靴を提供することができる。
【図面の簡単な説明】
【００３０】
【図１】この考案の一実施形態に係る靴を履き口部側か見た状態示す斜視図である。
【図２】図１に示す靴の砂除け部を押し下げて一対の伸縮部が見える状態にした斜視図である。
【図３】図１に示す靴の一対の左右の各側甲被部を広げて一対の伸縮部が見える状態にした平面図である。
【図４】図１示す靴の平面図である。
【図５】図１に示す靴の右側甲被部を広げて右側伸縮部が見える状態にした側面図である。
【図６】図１示す靴の側面図である。
【考案を実施するための形態】
【００３１】
以下、本考案に係る靴の一実施形態を、図１〜図６を参照して説明する。この実施形態の靴１１は、例えば靴紐１２を有するビジネスシューズに適用したものである。ここで言うビジネスシューズとは、靴１１全体としてフォーマル（正式、公式）な場所に適合することができる美観を備える靴という意味である。
【００３２】
ただし、靴１１をビジネスシューズと言われる靴以外の靴に適用することができる。要は、本考案は、見栄えが良く、脱ぎ履きし易く、履き心地が良いビジネスシューズを含む靴を提供することを目的としている。
【００３３】
図１及び図２に示す靴１１は、履き口部１３が砂除け部１４及び側甲被部１５を含む部品によって環状に形成され、この砂除け部１４及び側甲被部１５には、それぞれがゴム様弾性体製の伸縮部１８及び靴紐１２が設けられている。そして、この伸縮部１８及び靴紐１２は、砂除け部１４及び側甲被部１５を足に密着させる方向に弾性力が働くように設けられ、靴１１の脱ぎ履きのときに伸長するように機能するものである。
【００３４】
図１は、脱いだ靴１１を履き口部１３側か見た状態示す斜視図であり、この状態では、一対の各伸縮部１８は、内羽根部１６ａ及び外羽根部１７ａの下に隠れて見えない状態となっている。図２は、図１に示す靴１１の砂除け部１４を手で押し下げて一対の伸縮部１８が見える状態にした斜視図である。
【００３５】
そして、図１、図２、図４〜図６において、一対の各伸縮部１８を破線で描いてあるが、この破線は隠れ線であり、縫製を表すものではない。
【００３６】
この靴１１は、図１、図２及び図５に示す前甲被部１９と、側甲被部１５と、一対の伸縮部１８と、靴紐１２と、靴底２０とを備えている。
【００３７】
前甲被部１９は、靴１１の前側部分を形成するものであり、舌状の砂除け部１４を有しており、この砂除け部１４は、履き口部１３の一部を構成している。
【００３８】
側甲被部１５は、図１及び図２に示すように、靴１１の後側部分を形成するものであり、内羽根部１６ａ及び外羽根部１７ａを有している。この内羽根部１６ａ及び外羽根部１７ａは、砂除け部１４を左右から上側に覆い重なるように設けられ、靴紐１２で互いに結び付けられるものである。そして、この側甲被部１５は、内側甲被部１６及び外側甲被部１７を有している。
【００３９】
内羽根部１６ａは、内側甲被部１６と一体物として形成され、外羽根部１７ａは、外側甲被部１７と一体物として形成されている。
【００４０】
ただし、内羽根部１６ａは、内側甲被部１６と一体物として形成したが、これに代えて、内羽根部１６ａを内側甲被部１６と別物とし、この内羽根部１６ａを内側甲被部１６の本体部に例えば縫合してもよい。同様に、外羽根部１７ａは、外側甲被部１７と一体物として形成したが、これに代えて、外羽根部１７ａを外側甲被部１７と別物とし、この外羽根部１７ａを外側甲被部１７の本体部に例えば縫合してもよい。
【００４１】
伸縮部１８は、例えば平板状のゴム様弾性体製であり、一対設けられ、各伸縮部１８は、内外の各羽根部１６ａ、１７ａ又はその近傍の内表面Ｕと砂除け部１４の外表面Ｓとを当該各伸縮部１８を介して互いに連結している。そして、各伸縮部１８は、当該伸縮部１８のうち少なくとも砂除け部１４の外表面Ｓと連結する第１連結部１８ａを含む部分が、靴１１を履いた状態及び脱いだ状態のいずれの状態においても、内外の各羽根部１６ａ、１７ａ又はその近傍の内表面Ｕと砂除け部１４の外表面Ｓとの間に配置されるように設けられている。
【００４２】
また、この一対の各伸縮部１８は、図１〜図６に示すように、靴１１を履いた状態及び脱いだ状態のいずれの状態においても、第１連結部は、内外の各羽根部１６ａ、１７ａの内表面Ｕと砂除け部１４の外表面Ｓとの間に重なり合った状態となるように設けられている。
【００４３】
更に、この一対の各伸縮部１８は、図１及び図２等に示すように、内外の各羽根部１６ａ、１７ａ又はその近傍の内表面Ｕを形成する内部材に対して第２連結部１８ｂを介して連結し、当該第２連結部１８ｂ（例えば縫合部）が各羽根部１６ａ、１７ａのそれぞれの外表面に現れないように設けられている。
【００４４】
また、図１及び図２等に示すように、各伸縮部１８の内外の各羽根部１６ａ、１７ａ又はその近傍の内表面Ｕと連結する各第２連結部１８ｂが、内外の各羽根部１６ａ、１７ａ又はその近傍の内表面Ｕと砂除け部１４の外表面Ｓとが互いに重なり合う部分から離れた位置にそれぞれ配置されている。
【００４５】
ただし、上記のようにせずに、第１及び第２連結部１８ａ、１８ｂを内外の各羽根部１６ａ、１７ａ又はその近傍の内表面Ｕと砂除け部１４の外表面Ｓとの間にそれぞれ配置してもよい。
【００４６】
靴紐１２は、図１に示すように、一対の内羽根部１６ａ及び外羽根部１７ａを互いに結び付けて、これら一対の内羽根部１６ａ及び外羽根部１７ａを有する側甲被部１５、並びに、砂除け部１４を足に密着させるためのものであり、例えばゴム様弾性体製である。そして、靴紐１２は、外観が革製又は布製に見えるように彩色し又は形成されている。
【００４７】
ただし、靴紐１２は、外観が革製又は布製に見えるように彩色し又は形成したが、これ以外の外観となるように形成してもよい。図５に示す２０は、靴底である。
【００４８】
次に上記のように構成された靴１１の作用を説明する。この図１及び図２等に示す靴１１によると、足が通る履き口部１３が、砂除け部１４及び側甲被部１５を含む部品によって環状に形成され、靴１１を脱ぎ履きするときに、それぞれがゴム様弾性体製の靴紐１２及び伸縮部１８が伸長することができるので、靴紐１２を解いたり結ぶ作業を行わずに、更に、例えば靴べらを使用しなくても簡単に靴１１を脱ぎ履きすることが可能である。
【００４９】
そして、靴１１を履いた状態では、靴紐１２及び伸縮部１８が短縮する方向に弾性力が働くので、この靴紐１２及び伸縮部１８の両方の弾力性によって、砂除け部１４及び側甲被部１５を足に適切な強さで密着させることができる。これによって、足が靴１１の内側でずれて動くことを防止でき、履き心地を良好にすることができる。
【００５０】
また、伸縮部１８のうち少なくとも砂除け部１４の外表面Ｓと連結する第１連結部１８ａを含む部分が、内外の各羽根部１６ａ、１７ａの内表面Ｕと砂除け部１４の外表面Ｓとの間に配置されている構成としたので、靴１１を履いた状態及び脱いだ状態で、靴１１の外側から伸縮部１８が見え難いようにすることができる。よって、美観の優れた靴１１を提供することができる。
【００５１】
更に、伸縮部１８の上記第１連結部１８ａを含む部分は、内外の各羽根部１６ａ、１７ａと砂除け部１４との間に配置され、当該砂除け部１４を介して足に当接する構成となっているので、靴１１を脱ぎ履きするときに、足がその第１連結部１８ａを含む部分に直接に当たって擦れることがなく、心地よく靴１１を脱ぎ履きすることができる。また、このように構成されているので、靴１１を履いた状態で、上記第１連結部１８ａを含む伸縮部１８の足の甲に対する面積当たりの押圧力を小さくすることができ、足の甲が受ける当該押圧力による不快感を抑制することができる。
【００５２】
そして、靴紐１２がゴム様弾性体製であるので、靴１１を脱ぎ履きしても、靴紐１２の弛みを防止でき、靴紐１２の引き締まった状態を維持することができる。
【００５３】
よって、この実施形態の靴１１によると、見栄えが良く、脱ぎ履きし易く、履き心地が良いビジネスシューズを含む靴を提供することができる。
【００５４】
また、図１及び図２等に示す靴１１は、伸縮部１８及び靴紐１２が、砂除け部１４及び側甲被部１５を足に密着させる方向に弾性力が働くように設けられ、靴１１の脱ぎ履きのときに伸長する構成となっているので、靴１１を脱ぎ履きするときに、靴紐１２を解いたり結ぶ作業を行わずに、簡単に靴１１を脱ぎ履きすることができる。
【００５５】
そして、靴１１を履いた状態では、伸縮部１８及び靴紐１２は、砂除け部１４及び側甲被部１５を足に密着させる方向に弾性力が働くので、この伸縮部１８及び靴紐１２の両方の弾力性によって、砂除け部１４及び側甲被部１５を足に適切な強さで密着させることができる。これによって、足が靴１１の内側でずれて動くことを防止でき、靴１１の履き心地を良好にすることができる。
【００５６】
また、図１、図４及び図６に示すように、一対の各伸縮部１８は、平板状に形成され、靴１１を履いた状態及び脱いだ状態のいずれの状態においても、内外の各羽根部１６ａ、１７ａの内表面Ｕと砂除け部１４の外表面Ｓとの間に各伸縮部１８が重なり合った状態となる構成としたので、靴１１を履いた状態及び脱いだ状態で、一対の各伸縮部１８が靴１１の外側から効果的に見え難くすることができる。
【００５７】
更に、一対の各伸縮部１８が平板状に形成され、しかも、各伸縮部１８が砂除け部１４に連結する第１連結部１８ａを含む部分は、足との間に砂除け部１４が配置され、第１連結部１８ａを含む部分が直接に足に接触しない構成となっているので、靴１１を脱ぎ履きするときに、足が第１連結部１８ａを含む部分に当たって擦れることがなく、更に心地よく靴１１を脱ぎ履きすることができる。また、このように構成されているので、靴１１を履いた状態で、当該第１連結部１８ａを含む部分の足の甲に対する面積当たりの押圧力を小さくすることができ、足の甲が受ける当該押圧力による不快感を十分に抑制することができる。
【００５８】
そして、図１及び図６に示すように、内羽根部１６ａは、内側甲被部１６と一体物として形成され、かつ、外羽根部１７ａは、外側甲被部１７と一体物として形成され、更に、各伸縮部１８は、内外の各羽根部１６ａ、１７ａ又はその近傍の内表面Ｕを形成する内部材と第２連結部１８ｂを介して連結し、当該第２連結部１８ｂが各羽根部１６ａ、１７ａのそれぞれの外表面（外部材）に現れないように設けられている。
【００５９】
このようにすると、内羽根部１６ａを内側甲被部１６に連結するための縫合部等の連結部、及び外羽根部１７ａを外側甲被部１７に連結するための縫合部等の連結部を不要にすることができる。そして、各伸縮部１８を内外の各羽根部１６ａ、１７ａの内部材（内表面Ｕを形成する部材）に連結する第２連結部１８ｂ（例えば縫合部）が、内羽根部１６ａ及び外羽根部１７ａのそれぞれの外表面に現れないようにすることができる。これによって、この靴１１の外観の見栄えの向上を図ることができる。
【００６０】
また、図１、図２、図４〜図６に示す靴１１は、各伸縮部１８の砂除け部１４の外表面Ｓと連結する各第１連結部１８ａを含む部分が、各羽根部１６ａ、１７ａの内表面Ｕと砂除け部１４の外表面Ｓとの間にそれぞれ配置され、各伸縮部１８の各羽根部１６ａ、１７ａ又はその近傍の内表面Ｕと連結する各第２連結部１８ｂが、内外の各羽根部１６ａ、１７ａ等の内表面Ｕと砂除け部１４の外表面Ｓとが互いに重なり合う部分から離れた位置にそれぞれ配置されている構成である。
【００６１】
このようにすると、靴１１の内表面において、砂除け部１４の内表面と各羽根部１６ａ、１７ａ又はその近傍の内表面Ｕとの段差の大きさを第２連結部１８ｂによって減少させることができる。これによって、靴１１の履き心地を良くすることができる。
【００６２】
更に、ゴム様弾性体製の靴紐１２は、外観が革製又は布製に見えるように彩色し又は形成されている。このようにすると、靴紐１２が伸縮自在なことによって靴１１の脱ぎ履きをし易くすることができ、しかも、外観が革製又は布製に見えるので、美観の優れた靴紐１２を提供することができる。これによって、この靴１１全体としてフォーマルな場所に適合することができる美観を備える靴を提供することができる。
【００６３】
そして、上記のように、この考案に係る靴をビジネスシューズに適用することによって、上記のような作用を奏するビジネスシューズ１１を提供することができる。
【産業上の利用可能性】
【００６４】
以上のように、本考案に係る靴は、見栄えが良く、脱ぎ履きし易く、履き心地が良いという優れた効果を有し、このような靴に適用するのに適している。
【符号の説明】
【００６５】
１１  靴
１２  靴紐
１３  履き口部
１４  砂除け部
１５  側甲被部
１６  内側甲被部
１６ａ  内羽根部
１７  外側甲被部
１７ａ  外羽根部
１８  伸縮部
１８ａ  第１連結部
１８ｂ  第２連結部
１９  前甲被部
２０  靴底
Ｕ  羽根部等の内表面
Ｓ  砂除け部の外表面
【図１】
0003183553.tif 000003
【図２】
0003183553.tif 000004
【図３】
0003183553.tif 000005
【図４】
0003183553.tif 000006
【図５】
0003183553.tif 000007
【図６】
0003183553.tif 000008